(57)【要約】【課題】直進筒において、回転筒の環状溝部に摺動自在に嵌合される突起部の周辺を適切に補強することのできるレンズ鏡胴を提供する。【解決手段】固定筒部２１ａでレンズ駆動機構を保持するレンズ鏡胴１０である。レンズ駆動機構は、固定筒部２１ａに対して撮影光軸ＯＡ方向へと移動可能にかつ撮影光軸ＯＡ回りの回転可能な回転筒（２２）と、回転筒の内方で固定筒部２１ａに対して撮影光軸ＯＡ回りの回転が防止されつつ撮影光軸ＯＡ方向へと移動可能な直進筒（２３）と、を有し、回転筒の内周面には回転溝（２２ｃ）が設けられ、直進筒の外周面には回転突起部（２３ｂ）が設けられ、レンズ駆動機構には、回転溝が設けられた側の一方の端部において、少なくとも回転筒の外周面および直進筒の内周面のいずれか一方に係合することにより、回転筒と直進筒との径方向での間隔が所定の大きさ寸法を超えることを防止する拡大防止機構（５０）が設けられている。【選択図】図９
2012226015.tif 000002
【特許請求の範囲】
【請求項１】
複数のレンズ群の少なくとも一部を沈胴させてレンズ群を収納する沈胴状態から前記レンズ群の少なくとも一部を物体側に移動することにより撮影光軸上の撮影状態とするレンズ駆動機構と、該レンズ駆動機構を保持する固定筒部と、を備えるレンズ鏡胴であって、
前記レンズ駆動機構は、前記固定筒部に対して撮影光軸方向へと移動可能にかつ撮影光軸回りの回転可能に該固定筒部に保持される回転筒と、該回転筒の内方で前記固定筒部に対して撮影光軸回りの回転が防止されつつ撮影光軸方向へと移動可能に前記固定筒部に保持される直進筒と、を有し、
前記回転筒の内周面には、撮影光軸方向で見た一方の端部において、撮影光軸に直交する面に沿う回転溝が設けられ、
前記直進筒の外周面には、前記一方の端部に前記回転溝に係合する回転突起部が設けられ、
前記レンズ駆動機構には、前記一方の端部において、少なくとも前記回転筒の外周面および前記直進筒の内周面のいずれか一方に係合することにより、前記回転筒と前記直進筒との撮影光軸に直交する径方向での間隔が所定の大きさ寸法を超えることを防止する拡大防止機構が設けられていることを特徴とするレンズ鏡胴。
【請求項２】
前記拡大防止機構は、前記回転筒または前記直進筒の前記一方の端部側の端面に沿う環状を呈し、前記回転筒の前記外周面に径方向で係合可能な外側壁部と、前記直進筒の前記内周面に径方向で係合可能な内側壁部と、を有する環状部材であることを特徴とする請求項１に記載のレンズ鏡胴。
【請求項３】
前記拡大防止機構は、前記回転筒の前記一方の端部から径方向の内側に延出され、前記直進筒の前記内周面に径方向で係合可能な内側壁部を有する延出腕部であることを特徴とする請求項１に記載のレンズ鏡胴。
【請求項４】
前記拡大防止機構は、前記直進筒の前記一方の端部から径方向の外側に延出され、前記回転筒の前記外周面に径方向で係合可能な外側壁部を有する延出腕部であることを特徴とする請求項１に記載のレンズ鏡胴。
【請求項５】
前記一方の端部は、撮影光軸方向で見て被写体側であることを特徴とする請求項１から請求項４のいずれか１項に記載のレンズ鏡胴。
【請求項６】
前記拡大防止機構は、係合する前記回転筒の外周面および前記直進筒の内周面に対して、前記所定の大きさ寸法よりも小さな間隔を置いて径方向で対向していることを特徴とする請求項１から請求項５のいずれか１項に記載のレンズ鏡胴。
【請求項７】
前記環状部材は、金属材料で形成されていることを特徴とする請求項２に記載のレンズ鏡胴。
【請求項８】
前記所定の大きさ寸法は、前記回転溝に対する前記回転突起部の径方向で見た嵌合量よりも小さく設定されていることを特徴とする請求項１から請求項７のいずれか１項に記載のレンズ鏡胴。
【請求項９】
請求項１から請求項８のいずれか１項に記載のレンズ鏡胴を用いることを特徴とする撮像装置。
【発明の詳細な説明】
【技術分野】
【０００１】
本発明は、１つの形態ではレンズ群を沈胴し、他の１つの形態ではレンズ群を所定位置まで繰り出して使用するレンズ鏡胴に関する。
【背景技術】
【０００２】
デジタルスチルカメラやデジタルビデオカメラ（以下、「デジタルカメラ」という）等の撮像装置では、撮影性能の向上とともに携帯性の向上が強く求められている。このため、撮像装置では、非撮影時に、各レンズ群間の距離が撮影に最低限必要な距離未満で可能な限り小さくなるようにカメラ本体部内に沈胴させ、撮影時に、これら各レンズ群間の距離が撮影に必要な距離となるようにカメラ本体部内から繰り出させる構成のレンズ鏡胴を備えているものがある。そのレンズ鏡胴では、固定筒部に対して撮影光軸回りに回転可能であるとともに撮影光軸方向に移動可能とされた複数の回転筒と、固定筒部に対する回転が防止されるとともに撮影光軸方向に移動可能とされた複数の直進筒と、各レンズ群を保持する複数のレンズ保持枠と、を有するものがある（特許文献１参照）。
【０００３】
このレンズ鏡胴では、複数の回転筒と複数の直進筒と複数のレンズ保持枠とが、ヘリコイドによる嵌合やカム溝とカムピンとの嵌合や突起部と溝部との嵌合等により連結されて、各レンズ群をカメラ本体部内に沈胴およびそこからの繰り出しを可能とすべく撮影光軸方向に適宜移動可能とされている。また、レンズ鏡胴では、回転筒の内周面に環状の回転溝が設けられるとともに直進筒の外周面に回転突起部が設けられ、その回転突起部と回転溝内とが摺動自在に嵌合されることにより、固定筒部に対して回転筒と直進筒とが一体的に撮影光軸方向に移動可能とされるとともに、その回転筒と直進筒とが相対的に回転可能とされている。
【発明の概要】
【発明が解決しようとする課題】
【０００４】
ところで、上記した従来のレンズ鏡胴では、複数の回転筒、複数の直進筒および複数のレンズ保持枠が撮影光軸方向に移動可能に連結されているのに対して、上述した回転筒と直進筒とが撮影光軸方向への相対的な移動が防止されている。このため、撮影状態（繰り出し状態）において撮影光軸方向での負荷が入力されると、この回転筒の環状の回転溝に嵌合する直進筒の回転突起部およびその周辺にはその負荷がそのまま作用してしまうので、直進筒の回転突起部の周辺の変形を招いてしまう虞がある。
【０００５】
本発明は、上記の事情に鑑みて為されたもので、直進筒において、回転筒の環状溝部に摺動自在に嵌合される突起部の周辺を適切に補強することのできるレンズ鏡胴を提供することを目的とする。
【課題を解決するための手段】
【０００６】
本発明に係るレンズ鏡胴は、複数のレンズ群の少なくとも一部を沈胴させてレンズ群を収納する沈胴状態から前記レンズ群の少なくとも一部を物体側に移動することにより撮影光軸上の撮影状態とするレンズ駆動機構と、該レンズ駆動機構を保持する固定筒部と、を備えるレンズ鏡胴であって、前記レンズ駆動機構は、前記固定筒部に対して撮影光軸方向へと移動可能にかつ撮影光軸回りの回転可能に該固定筒部に保持される回転筒と、該回転筒の内方で前記固定筒部に対して撮影光軸回りの回転が防止されつつ撮影光軸方向へと移動可能に前記固定筒部に保持される直進筒と、を有し、前記回転筒の内周面には、撮影光軸方向で見た一方の端部において、撮影光軸に直交する面に沿う回転溝が設けられ、前記直進筒の外周面には、前記一方の端部に前記回転溝に係合する回転突起部が設けられ、前記レンズ駆動機構には、前記一方の端部において、少なくとも前記回転筒の外周面および前記直進筒の内周面のいずれか一方に係合することにより、前記回転筒と前記直進筒との撮影光軸に直交する径方向での間隔が所定の大きさ寸法を超えることを防止する拡大防止機構が設けられていることを特徴とする。
【発明の効果】
【０００７】
本発明に係るレンズ鏡胴では、直進筒の一方の端部が、回転筒に対して径方向の内側に変位して移動しようとすると、その内周面が拡大防止機構に係合して回転筒との間隔が所定の大きさ寸法よりも広がることが防止されるので、直進筒の回転突起部の周辺の変形を抑制することができる。このため、直進筒における回転突起部の周辺を適切に補強することができる。
【図面の簡単な説明】
【０００８】
【図１】本発明に係る一例としてのレンズ鏡胴１０を示す模式的な断面図であり、上半分が撮影状態を示し、下半分が沈胴収納状態を示している。
【図２】繰り出し位置におけるレンズ鏡胴１０を模式的に示す斜視図である。
【図３】沈胴状態におけるレンズ鏡胴１０を模式的に示す斜視図である。
【図４】レンズ鏡胴１０の各構成を分解して示す模式的な斜視図である。
【図５】第１リング部材５０の構成を説明するための説明図であり、（ａ）は模式的な斜視図で全体を示し、（ｂ）は（ａ）のＩ−Ｉ線に沿って得られた断面を示している。
【図６】組み付ける方向に沿って、第１の回転筒２２、第１リング部材５０および第１のライナー２３の構成を示す模式的な斜視図である。
【図７】組み付ける方向に沿って、第１の回転筒２２、第１リング部材５０および第１のライナー２３の構成を示す模式的な斜視図である。
【図８】図７に示すII−II線に沿って得られた断面図である。
【図９】図８に示す二点鎖線で囲まれた領域を拡大して示す説明図である。
【図１０】本発明に係るレンズ鏡胴１０が用いられたカメラ１００の外観構成を模式的に示す物体側から見た斜視図であり、（ａ）は撮影レンズをカメラのボディ内に沈胴収納している状態、（ｂ）は撮影レンズがカメラのボディから突出している状態を示している。
【図１１】撮影者側である背面側から見たカメラ１００の外観を示す模式的な斜視図である。
【図１２】カメラ１００の機能構成を示すブロック図である。
【図１３】第１の回転筒２２に対して撮影光軸ＯＡ方向の像面側への負荷が第１のライナー２３に生じた際の第１の回転筒２２と第１のライナー２３との連結箇所での作用を説明するための説明図であり、（ａ）が内側壁部５２のない構成の第１リング部材５０´が設けられた当該連結箇所を示し、（ｂ）は本願発明の第１リング部材５０が設けられた当該連結箇所を示し、（ｃ）は本願発明の他の例の第１リング部材５０１が設けられた当該連結箇所を示す。
【図１４】本願発明のレンズ鏡胴（その拡大防止機構）の他の構成例を示す説明図であり、（ａ）は回転筒と一体的な構成とされた一例としての拡大防止機構を示し、（ｂ）は直進筒と一体的な構成とされた一例としての拡大防止機構を示し、（ｃ）は直進筒に装着された第１リング部材５０２により構成された一例としての拡大防止機構を示す。
【発明を実施するための形態】
【０００９】
以下に、本発明に係るレンズ鏡胴およびそれを有する撮像装置の実施例について図面を参照しつつ説明する。
【実施例】
【００１０】
本発明に係るレンズ鏡胴の一実施例としてのレンズ鏡胴１０の概略的な構成を、図１から図９を用いて説明する。なお、図４では、理解容易のために、第１レンズ群１１、第２レンズ群１２、第３レンズ群１３、第４レンズ群１４、シャッタ／絞りユニット１５、固体撮像素子１６、第１レンズ保持枠１７、第２レンズ保持枠１８、カム筒２６、第１リング部材５０、第２リング部材２８、第３リング部材２９を省略して示している。また、図６では、組み付ける方向に沿って、第１の回転筒２２、第１リング部材５０および第１のライナー２３を示しているため、図４とは順序が異なるものとされている。
【００１１】
レンズ鏡胴１０を含む光学装置は、図１に示すように、第１レンズ群１１、第２レンズ群１２、第３レンズ群１３、第４レンズ群１４、シャッタ／絞りユニット１５、固体撮像素子１６、第１レンズ保持枠１７、第２レンズ保持枠１８、固定枠２１（図３および図４参照）、第１の回転筒２２、第１のライナー２３、第２の回転筒２４、第２のライナー２５、カム筒２６、直進筒２７、第１リング部材５０、鏡胴ベース８１を具備している。なお、第１の回転筒２２、第２の回転筒２４および直進筒２７は、可動レンズ鏡筒として機能する。
【００１２】
この光学装置（撮影レンズ系）は、撮影状態（図１の上半分および図２等参照）について説明すると、物体側から、第１レンズ群１１、第２レンズ群１２、第３レンズ群１３および第４レンズ群１４が順次配列されるとともに、第２レンズ群１２と第３レンズ群１３との間に、シャッタ／絞りユニット１５が挿入配置され、第４レンズ群１４の像面側には、ＣＣＤ（電荷結合素子）等を用いて構成される固体撮像素子１６が配置される。これら第１レンズ群１１から第４レンズ群１４は、焦点距離可変のズームレンズを構成する。この明細書では、撮影レンズ系における光学的な軸線、すなわち撮影状態とされた光学素子群の中心軸位置となる回転対称軸を、撮影光軸ＯＡとする。
【００１３】
第１レンズ群１１は、１枚以上のレンズからなる。この第１レンズ群１１は、それらを一体的に保持する第１レンズ保持枠１７を介して直進筒２７に固定保持されている。
【００１４】
第２レンズ群１２は、１枚以上のレンズからなる。この第２レンズ群１２は、それらを一体的に保持する第２レンズ保持枠１８に設けられたカムフォロワ（図示せず）がカム筒２６の第２レンズ群用のカム溝（図示せず）に挿通されて第２のライナー２５の直進溝２５ａ（図４参照）に係合し、これらカム筒２６および第２のライナー２５により支持されている。
【００１５】
第３レンズ群１３は、１枚以上のレンズからなる。この第３レンズ群１３は、第３レンズ保持枠３１により一体的に保持されており、沈胴収納状態で撮影光軸ＯＡ（撮影光路）上から退避されるとともに、撮影状態で撮影光軸ＯＡ（撮影光路）上に配置される。
【００１６】
第４レンズ群１４は、１枚以上のレンズからなる。この第４レンズ群１４は、第４レンズ保持枠４１により一体的に保持されており、沈胴収納状態で撮影光軸ＯＡ（撮影光路）上から退避されるとともに、撮影状態で撮影光軸ＯＡ（撮影光路）上に配置される。この第４レンズ群１４は、本実施例では、ピント合わせ、つまり合焦を行うフォーカスレンズとして用いられる。
【００１７】
シャッタ／絞りユニット１５は、シャッタおよび開口絞りを含むものである。このシャッタ／絞りユニット１５は、そこに一体的に形成されたカムフォロワ（図示せず）がカム筒２６のシャッタ／絞りユニット用のカム溝（図示せず）に挿通されて第２のライナー２５の直進溝２５ａ（図４参照）に係合し、これらカム筒２６および第２のライナー２５により支持されている。
【００１８】
固定枠２１は、内方に円筒形状の固定筒部２１ａ（図４等参照）を有する。この固定筒部２１ａの内周面には、図４に示すように、軸方向に沿う直進溝２１ｂ、およびカム溝２１ｃが形成されている。その直進溝２１ｂには、第１のライナー２３の後述するキー部２３ａが係合し、カム溝２１ｃには、第１の回転筒２２の後述するカムフォロワ２２ａが係合する。この固定筒部２１ａの内方に第１の回転筒２２が嵌合される。
【００１９】
その第１の回転筒２２は、固定筒部２１ａの内方に嵌合可能な筒状を呈する。第１の回転筒２２の基端部外周面には、ヘリコイド状のカムフォロワ２２ａと、ギア部２２ｂと、が形成されている。その第１の回転筒２２の内周面には、案内溝２２ｃと直進溝２２ｄとが設けられている。案内溝２２ｃは、撮影光軸ＯＡに直交する面に沿って設けられ、環状を呈する。この案内溝２２ｃは、後述するように、第１のライナー２３のフォロワ２３ｂが係合することにより、回転しつつ直進する第１の回転筒２２の直進移動力のみを第１のライナー２３に作用させる直進案内部材として機能する回転溝である。直進溝２２ｄは、撮影光軸ＯＡ（撮影光路）に沿う案内溝である。第１の回転筒２２では、被写体側（図４を正面視して左側）の端部に庇部２２ｆが設けられている。この庇部２２ｆは、第１の回転筒２２の被写体側の端部から径方向内側へ向けて突出されており、内方に嵌合される第１のライナー２３の先端部２３ｑ（被写体側の端部）よりも内側に延出されている（図９等参照）。また、第１の回転筒２２では、径方向で見て庇部２２ｆの外側に切欠部２２ｇが設けられている。この切欠部２２ｇは、第１の回転筒２２の被写体側の端部の外方側を全周に渡って切り欠いて形成されている（図６参照）。本実施例の第１の回転筒２２には、被写体側（図４を正面視して左側）の端部（庇部２２ｆ）に第１リング部材５０が装着される。この第１リング部材５０については、後に詳細に説明する。
【００２０】
第１の回転筒２２は、カムフォロワ２２ａがカム溝２１ｃに係合されて固定筒部２１ａ内に設けられる。この第１の回転筒２２は、固定筒部２１ａすなわち鏡胴ベース８１に対して、撮影光軸ＯＡ回りの回転が可能とされており、その回転に伴って、カムフォロワ２２ａとカム溝２１ｃとの案内作用により、撮影光軸ＯＡ（撮影光路）方向へと移動する。この第１の回転筒２２の内方に第１のライナー２３が嵌合される。
【００２１】
その第１のライナー２３は、第１の回転筒２２の内方に嵌合可能な筒状を呈する。第１のライナー２３の外周面には、キー部２３ａとフォロワ２３ｂとが設けられている。キー部２３ａは、基端部から外方に突出形成され、固定筒部２１ａの直進溝２１ｂに係合する。フォロワ２３ｂは、撮影光軸ＯＡに直交する面に沿って、回転中心から放射方向へ向けて（以下、径方向ともいう）突設されており、第１の回転筒２２における撮影光軸ＯＡ（撮影光路）に沿う挿入溝２２ｅを経て環状の案内溝２２ｃに係合される。このような構成により、第１の回転筒２２と第１のライナー２３とは、固定筒部２１ａに対して、撮影光軸ＯＡ（撮影光路）方向に一体的に移動するとともに、撮影光軸ＯＡ回りに相対的な回転（回転移動）が可能とされている。このため、第１のライナー２３は、回転筒である第１の回転筒２２の内方において、固定筒部２１ａに対する回転が防止されつつ第１の回転筒２２と一体的に固定筒部２１ａに対して撮影光軸ＯＡ方向へと移動可能に、固定筒部２１ａに保持される直進筒（直進ガイド筒）として機能する。
【００２２】
本実施例の第１のライナー２３は、撮影光軸ＯＡ方向で見て第１の回転筒２２と重なるように、第１の回転筒２２内に嵌合される。このとき、第１のライナー２３は、図９に示すように、被写体側（図４を正面視して左側）の端部である先端部２３ｑが、第１の回転筒２２の庇部２２ｆの裏側（撮影光軸ＯＡ方向の像面側）に位置するとともに、第１の回転筒２２と第１のライナー２３との撮影光軸ＯＡ回りの相対的な回転（回転移動）の阻害を防止する観点から庇部２２ｆの裏側との間に隙間が設けられている。また、本実施例では、第１の回転筒２２と第１のライナー２３とは、第１のライナー２３が第１の回転筒２２内に嵌合された状態において、径方向で見て、先端部２３ｑに対して庇部２２ｆが所定の大きさ寸法とされた所定量Ａで内側に延出させる大きさ寸法とされている。この所定量Ａは、第１のライナー２３が第１の回転筒２２内に嵌合された状態において、第１の回転筒２２の案内溝２２ｃに対する第１のライナー２３のフォロワ２３ｂの径方向で見た嵌合量Ｂよりも小さく（Ａ＜Ｂ）設定されている。この嵌合量Ｂは、第１の回転筒２２の内周面（その案内溝２２ｃの周辺部）から、第１のライナー２３のフォロワ２３ｂの突出端面までの、径方向で見た大きさ寸法である。
【００２３】
第１のライナー２３の内面には、図４に示すように、直進溝２３ｃとヘリコイド２３ｄとが設けられている。直進溝２３ｃは、撮影光軸ＯＡ（撮影光路）方向に沿って延在されている。この直進溝２３ｃには、第２のライナー２５の後述する基端部外周に突設されたキー部２５ｂが係合される。ヘリコイド２３ｄは、第２の回転筒２４の後述する基端部の外周面に形成されたヘリコイド２４ａに螺合される。
【００２４】
さらに、第１のライナー２３には、逃げ溝２３ｅが形成されている。逃げ溝２３ｅは、後述する第２の回転筒２４のカムフォロワ２４ｂの挿通のために、第１のライナー２３としての周壁部を貫通して設けられており、ヘリコイド２３ｄに等しい螺旋状に形成されている。この逃げ溝２３ｅは、挿通されるカムフォロワ２４ｂの動きの阻害を防止する観点から当該カムフォロワ２４ｂとの間に隙間が生じるように、互いの大きさ寸法が設定されている。
【００２５】
ついで、第１のライナー２３の外周面には、フランジ部２３ｆが形成されている。このフランジ部２３ｆは、外周面の基端部において、径方向に所定の幅寸法で突出されて外周面の周方向に延在しており、その外周方向で見た一部分がキー部２３ａの突出基部分と重なっている。この第１のライナー２３の内方に、第２の回転筒２４が嵌合される。
【００２６】
その第２の回転筒２４は、第１のライナー２３の内方に嵌合可能な筒状を呈する。第２の回転筒２４の基端部の外周面には、ヘリコイド２４ａが形成され、このヘリコイド２４ａが、第１のライナー２３の内周に設けられたヘリコイド２３ｄに螺合している。また、第２の回転筒２４の基端部近傍の外周面には、カムフォロワ２４ｂが突設され、このカムフォロワ２４ｂが、第１のライナー２３の逃げ溝２３ｅを通して第１の回転筒２２の内周に設けられた直進溝２２ｄに係合している。
【００２７】
このような構成により、第１の回転筒２２が光軸の周りに回転すると、第２の回転筒２４のカムフォロワ２４ｂが第１の回転筒２２の直進溝２２ｄに押されて、第２の回転筒２４が光軸の周りに回転する。このとき、上述したように、第１のライナー２３は、キー部２３ａの固定筒部２１ａの直進溝２１ｂとの係合により回転することが防止されているので、そのヘリコイド２３ｄとヘリコイド２４ａとの案内作用により、第２の回転筒２４が第１のライナー２３に対して撮影光軸ＯＡ方向に移動する。
【００２８】
その第２の回転筒２４の内周面には、案内溝２４ｃとカム溝２４ｄとが形成されている。案内溝２４ｃは、撮影光軸ＯＡ（撮影光路）に直交する面に沿って設けられており、後述する第２のライナー２５のフォロワ（またはキー）２５ｃが係合される。このような構成により、第２のライナー２５と第２の回転筒２４とは、撮影光軸ＯＡ（撮影光路）方向に一体的に移動するとともに、撮影光軸ＯＡ回りに相対的な回転（回転移動）が可能とされている。カム溝２４ｄは、直進筒２７の移動のためのカム溝である。第２の回転筒２４には、被写体側（図４を正面視して左側）の端部に第２リング部材２８が装着される。この第２リング部材２８は、断面がＬ字状（図１参照）の環状を呈し（図２および図３参照）する。第２リング部材２８は、第２の回転筒２４（その被写体側の端部）の変形を防止する。この第２の回転筒２４の内方に、第２のライナー２５が嵌合される。
【００２９】
その第２のライナー２５は、第２の回転筒２４の内方に嵌合可能な筒状を呈する。第２のライナー２５には、基端部外周面に、キー部２５ｂと、フォロワ（またはキー）２５ｃと、直進溝２５ｄと、が形成されている。キー部２５ｂは、第２のライナー２５の後端から径方向外側へ向けて鍵状に突出されている。このキー部２５ｂは、第２の回転筒２４の後端面に摺接するとともに、先端部分が第１のライナー２３の直進溝２３ｃに係合される。また、フォロワ（またはキー）２５ｃは、第２のライナー２５の外周面から径方向外側へ向けて突出されている。このフォロワ（またはキー）２５ｃは、第２の回転筒２４の案内溝２４ｃに係合することにより、回転しつつ直進する第２の回転筒２４の直進移動力のみを第２のライナー２５に作用させる直進案内部材である。直進溝２５ｄは、第２のライナー２５の外周面において、軸方向に沿って延在している。このため、第２のライナー２５は、第１のライナー２３に対して、第２の回転筒２４と撮影光軸ＯＡ（撮影光路）方向に一体的に移動するとともに、撮影光軸ＯＡ回りの回転が防止されている。
【００３０】
第２のライナー２５の内周面には、撮影光軸ＯＡ（撮影光路）方向に沿って延在された直進溝２５ａと、撮影光軸ＯＡ（撮影光路）に直交する面に沿う案内溝２５ｅと、が形成されている。この直進溝２５ａには、図示は略すが、上述したように、第２レンズ群用のカム溝に挿通された第２レンズ保持枠１８のカムフォロワと、シャッタ／絞りユニット用のカム溝に挿通されたシャッタ／絞りユニット１５のカムフォロワと、が係合される。また、案内溝２５ｅには、図示は略すが、カム筒２６の外周面（前側）に突設された直進案内部材であるフォロワ（またはキー）が係合している。このカム筒２６は、筒状を呈し、第２のライナー２５の内周に嵌合されている。カム筒２６は、基端部外周に突設された係止突起（図示せず）が第２の回転筒２４の基端部に嵌合係止して、第２の回転筒２４と一体的に回転動作するようになっている。このような構成により、カム筒２６と第２のライナー２５とは、撮影光軸ＯＡ（撮影光路）方向に一体的に移動するとともに、撮影光軸ＯＡ回りに相対的な回転（回転移動）が可能とされている。
【００３１】
その第２のライナー２５と第２の回転筒２４との間には、直進筒２７の基端部側が挿入されている（図１参照）。この直進筒２７は、第２の回転筒２４の内方に嵌合可能な筒状を呈する。直進筒２７の基端部近傍の外周面には、カムフォロワ２７ａが突接されている。そのカムフォロワ２７ａは、第２の回転筒２４の内周面に形成されたカム溝２４ｄに係合している。また、直進筒２７の内周面には、図示は略すが、キー部が形成され、当該キー部は第２のライナー２５の外周面の直進溝２５ｄに係合している。このため、直進筒２７は、第２のライナー２５に対して、撮影光軸ＯＡ（撮影光路）方向への移動（直進移動）が可能とされているとともに、撮影光軸ＯＡ回りの回転が防止されている。この直進筒２７には、被写体側（図４を正面視して左側）の端部に第３リング部材２９が装着される。この第３リング部材２９は、断面がＬ字状（図１参照）の環状を呈し（図２および図３参照）する。第３リング部材２９は、直進筒２７（その被写体側の端部）の変形を防止する。
【００３２】
次に、上述したレンズ鏡胴１０の動作を説明する。図２は、撮影状態において最大繰り出し位置とされたレンズ鏡胴１０を示し、図３は、沈胴状態のレンズ鏡胴１０を示している。
【００３３】
レンズ鏡胴１０では、第１の回転筒２２が、そのギア部２２ｂに螺合されたギア（図示せず）を介して、駆動モータ（図示せず）の駆動力が適宜ギア伝達されて回動される。第１の回転筒２２は、沈胴状態（図３参照）において回転駆動されると、カムフォロワ２２ａとカム溝２１ｃとの案内作用により、固定筒部２１ａに対して撮影光軸ＯＡ方向で物体（被写体）側へ向かって進出移動する。また、第１の回転筒２２が回転駆動されると、その直進溝２２ｄが第２の回転筒２４のカムフォロワ２４ｂを押圧して、第２の回転筒２４が第１のライナー２３に対して光軸の周りに回転し、回転が防止された第１のライナー２３のヘリコイド２３ｄとヘリコイド２４ａとの案内作用により、第２の回転筒２４が第１のライナー２３に対して撮影光軸ＯＡ方向に移動する。これにより、第１の回転筒２２、第１のライナー２３、第２の回転筒２４が、繰り出し可能な最大限の位置、例えば望遠端まで繰り出された状態となる（図２参照）。このとき、レンズ鏡胴１０では、上述したように、第１の回転筒２２、第１のライナー２３および第２の回転筒２４の動作に伴って、第２のライナー２５、カム筒２６および直進筒２７が適宜回転および進退移動されることにより、第１レンズ保持枠１７に保持された第１レンズ群１１、第２レンズ保持枠１８に保持された第２レンズ群１２およびシャッタ／絞りユニット１５が、所定のごとくズーミング動作する。また、第３レンズ保持枠３１により一体的に保持された第３レンズ群１３は、撮影光軸ＯＡ（撮影光路）上に配置されるとともに、所定のごとくズーミング動作する（図１の上半分参照）。さらに、図示は略すが、第４レンズ保持枠４１により一体的に保持された第４レンズ群１４は、撮影光軸ＯＡ（撮影光路）上に配置されるとともに（図１の上半分参照）、所定のごとく合焦動作する。
【００３４】
このレンズ鏡胴１０では、第１の回転筒２２は、沈胴状態から広角位置へ移動する際、最初は回転しながら被写体側へ繰り出し、その回転途中において最大繰り出し位置に到達する。つまり、繰り出し動作の早い段階で、固定筒部２１ａに近接している鏡筒である第１の回転筒２２と第１のライナー２３とを完全に繰り出すことにより、撮影光軸ＯＡ（撮影光路）上に第３レンズ保持枠３１を挿入するスペースをあらかじめ確保する。退避レンズ保持枠としての第３レンズ保持枠３１および第４レンズ保持枠４１は、挿入のためのスペースが確保されると、進入動作を開始することができる。このように、第１の回転筒２２が最大繰り出し位置に到達すると、直ちに第３レンズ保持枠３１および第４レンズ保持枠４１の進入動作を開始することにより、電源オン時等における沈胴状態から広角位置への移行に要する時間を最小に抑えることができる。
【００３５】
また、第１の回転筒２２は、広角位置から望遠位置へ移動する際、撮影光軸ＯＡ方向での最大繰り出し位置を維持したまま回転することにより、第１レンズ群１１、第２レンズ群１２およびシャッタ／絞りユニット１５が所定のごとくズーミング動作し、それに伴って第３レンズ群１３が所定のごとくズーミング動作し、第４レンズ群１４が所定のごとく合焦動作する。このため、レンズ鏡胴１０では、第１レンズ保持枠１７、第２レンズ保持枠１８、第１の回転筒２２、第１のライナー２３、第２の回転筒２４、第２のライナー２５、カム筒２６、直進筒２７、第３レンズ保持枠３１および第４レンズ保持枠４１が、第１レンズ群１１、第２レンズ群１２、第３レンズ群１３および第４レンズ群１４を、沈胴収納状態と撮影状態との移行のためのレンズ駆動機構として機能する。
【００３６】
これら第１の回転筒２２等の位置は、一般的なＤＣ（直流）モータを用いて構成した駆動モータ（図示せず）では、その出力軸に直接固定されたエンコーダ形状を備えたピニオンギヤと、この近傍に設置された例えばフォトインタラプタからなるズームカウント検出器によって発生される駆動パルスのカウントを用いて制御することができる。なお、第１の回転筒２２を移動させるための駆動源は、ＤＣモータとして、エンコーダとフォトインタラプタによる検出器により駆動位置検出を達成するようにしているが、これら全体をパルスモータに置き換えても同様の機能を達成可能である。このため、駆動モータは、スプラインギア等と共にレンズ駆動機構を駆動させるレンズ駆動機構用駆動源（可動レンズ鏡筒を撮影光軸ＯＡ方向へと進退させる可動レンズ鏡筒用駆動源）として機能し、可動レンズ鏡筒を介して可動レンズ保持枠を駆動するレンズ保持枠駆動手段として機能する。
【００３７】
次に、本願発明のレンズ鏡胴１０の特徴部分について説明する。レンズ鏡胴１０では、拡大防止機構として第１リング部材５０が設けられている。この第１リング部材５０は、図５（ａ）に示すように、全体に環状を呈し、金属材料から形成されている。第１リング部材５０は、本実施例では、上述したように、第１の回転筒２２の被写体側の端部に装着されることから（図１等参照）、第１の回転筒２２の当該端部に適合する大きさ寸法とされている。第１リング部材５０は、外側壁部５１と内側壁部５２と連結壁部５３とを有する。第１リング部材５０では、図５（ｂ）に示すように、外側壁部５１と内側壁部５２とが平行とされるとともに、外側壁部５１および内側壁部５２に対して連結壁部５３が直交されている。
【００３８】
外側壁部５１は、第１の回転筒２２の外周面と径方向で係合する外側係合面５１ａを規定する。その外側壁部５１は、本実施例では、第１の回転筒２２の被写体側の端部に設けられた切欠部２２ｇ内に納まる大きさ寸法とされており（図９参照）、切欠部２２ｇの径方向外側の切欠外周面２２ｈに外側係合面５１ａを面当接させることが可能とされている。
【００３９】
内側壁部５２は、第１のライナー２３の内周面と径方向で係合する内側係合面５２ａを規定する。その内側壁部５２は、本実施例では、第１のライナー２３の先端部２３ｑの内側で撮影光軸ＯＡ方向に延在することのできる大きさ寸法とされており（図９参照）、内側係合面５２ａを先端部２３ｑの先端内周面２３ｒと径方向で対向させることが可能とされている。内側壁部５２は、撮影光軸ＯＡ方向の長さ寸法が第１のライナー２３におけるフォロワ２３ｂに関連して設定されている。内側壁部５２は、本実施例では、撮影光軸ＯＡ方向で見て、第１のライナー２３におけるフォロワ２３ｂの被写体側の側面２３ｂ１の立ち上がり箇所と平行な位置まで延在することのできる長さ寸法とされている（図９参照）。
【００４０】
連結壁部５３は、外側壁部５１による第１の回転筒２２の外周面との径方向での係合を可能とし、かつ内側壁部５２による第１のライナー２３の内周面との径方向での係合を可能として、その外側壁部５１と内側壁部５２とを径方向に掛け渡している（図９等参照）。すなわち、第１リング部材５０は、第１の回転筒２２の外周面を取り巻くことを可能とする外径寸法とされ、かつ第１のライナー２３の内周面の内側に沿って延在することを可能とする内外径寸法とされている。この連結壁部５３は、本実施例では、第１の回転筒２２の被写体側の端部の庇部２２ｆの被写体側端面に当接可能な大きさ寸法とされている（図９参照）。
【００４１】
レンズ鏡胴１０では、図６に示すように、第１のライナー２３のフォロワ２３ｂを第１の回転筒２２の挿入溝２２ｅを経て環状の案内溝２２ｃに係合されて、相対的に第１の回転筒２２の内方に第１のライナー２３が挿入され、第１の回転筒２２内に第１のライナー２３が嵌合される。その後、第１の回転筒２２と第１のライナー２３との嵌合体の被写体側の端部に、撮影光軸ＯＡ方向の被写体側から第１リング部材５０が装着される。これにより、第１の回転筒２２と第１のライナー２３と第１リング部材５０とが互いに組み付けられる（図７および図８参照）。この第１リング部材５０は、外側壁部５１が第１の回転筒２２の外周面と径方向で係合可能に対向され、かつ内側壁部５２が第１のライナー２３の内周面と径方向で係合可能に対向されている。
【００４２】
本実施例では、第１リング部材５０では、図９に示すように、外側壁部５１が第１の回転筒２２の切欠部２２ｇに係合されて、その切欠外周面２２ｈに外側係合面５１ａが面当接される。また、第１リング部材５０では、連結壁部５３が第１の回転筒２２の庇部２２ｆに宛がわれる。さらに、第１リング部材５０では、内側壁部５２の内側係合面５２ａが第１のライナー２３の先端部２３ｑの先端内周面２３ｒと径方向で対向される。このため、第１リング部材５０は、本実施例では、外側壁部５１と連結壁部５３とで第１の回転筒２２の被写体側の端部（庇部２２ｆおよび切欠部２２ｇ）に装着されており、その内側壁部５２の内側係合面５２ａが、第１のライナー２３の先端部２３ｑの先端内周面２３ｒと径方向で対向されている。この内側壁部５２は、上述したように、第１のライナー２３におけるフォロワ２３ｂの被写体側の側面２３ｂ１の立ち上がり箇所と平行な位置まで延在している。また、内側壁部５２の内側係合面５２ａは、第１のライナー２３の先端部２３ｑの先端内周面２３ｒに対して、径方向で見て所定量Ａの間隔をおいて対向されている。これは、第１のライナー２３の先端部２３ｑに対して、第１の回転筒２２の庇部２２ｆが所定量Ａで径方向の内側に延出されていることによる。
【００４３】
第１リング部材５０は、第１の回転筒２２内に第１のライナー２３が適切に嵌合された状態に対して、第１の回転筒２２と第１のライナー２３との径方向での間隔が所定量Ａを超えて広がろうとすると、内側壁部５２（その内側係合面５２ａ）が第１のライナー２３の先端部２３ｑ（その先端内周面２３ｒ）に係合するので、第１の回転筒２２と第１のライナー２３との径方向での間隔が所定量Ａを超えることを防止することができる。
【００４４】
次に、上述の実施例に示したレンズ鏡胴１０を含む光学系装置を、撮影光学系として採用してカメラ（撮像装置）１００を構成した例について図１０ないし図１２を参照して説明する。図１０は、物体、すなわち被写体側である前面側から見たカメラ１００の外観を示す斜視図であり、図１１は、撮影者側である背面側から見たカメラ１００の外観を示す斜視図であり、図１２は、カメラ１００の機能構成を示すブロック図である。なお、ここでは、カメラ１００について説明しているが、いわゆるＰＤＡ（ｐｅｒｓｏｎａｌ  ｄａｔａ  ａｓｓｉｓｔａｎｔ）や携帯電話機等の携帯型情報端末装置にカメラ機能を組み込んだものが近年登場している。
【００４５】
このような携帯型情報端末装置も外観は若干異にするもののカメラ１００と実質的に全く同様の機能・構成を含んでいるものが多く、このような携帯型情報端末装置に本発明に係るレンズ鏡胴１０を含む光学系装置を採用してもよい。また、同様に、本発明に係るレンズ鏡胴１０を含む光学系装置を画像入力装置に採用してもよい。
【００４６】
図１０および図１１に示すように、カメラ１００は、撮影レンズ１０１、シャッタボタン１０２、ズームレバー１０３、ファインダ１０４、ストロボ１０５、液晶モニタ１０６、操作ボタン１０７、電源スイッチ１０８、メモリカードスロット１０９および通信カードスロット１１０等を備えている。さらに、図１２に示すように、カメラ１００は、受光素子２０１、信号処理装置２０２、画像処理装置２０３、中央演算装置（ＣＰＵ）２０４、半導体メモリ２０５および通信カード２０６等も備えている。また、明確には図示されていないが、これら各部は、駆動電源としてのバッテリにより給電されて動作する。
【００４７】
カメラ１００は、撮影レンズ１０１と、ＣＣＤ（電荷結合素子）撮像素子等のエリアセンサとしての受光素子２０１と、を有しており、撮影光学系である撮影レンズ１０１により形成される撮影対象となる物体、つまり被写体の像を受光素子２０１により読み取るように構成されている。この撮影レンズ１０１としては、本実施例において説明したような本発明に係るレンズ鏡胴１０を含む光学系装置を用いる。具体的には、レンズ鏡胴１０を用いて光学系装置を構成する（例えば、第１レンズ群１１、第２レンズ群１２、第３レンズ群１３、第４レンズ群１４、シャッタ／絞りユニット１５を用いて撮影レンズ１０１を構成し、固体撮像素子１６（図１参照）を用いて受光素子２０１を構成する）。レンズ鏡胴１０は、各レンズ等を、少なくともレンズ群毎に移動操作し得るように保持する機構（レンズ駆動装置）を有する。カメラ１００に組み込まれる撮影レンズ１０１は、通常の場合、この光学系装置の形で組み込まれる。
【００４８】
受光素子２０１の出力は、中央演算装置２０４により制御される信号処理装置２０２によって処理され、デジタル画像情報に変換される。信号処理装置２０２によりデジタル化された画像情報は、やはり中央演算装置２０４によって制御される画像処理装置２０３において所定の画像処理が施された後、不揮発性メモリ等の半導体メモリ２０５に記録される。この場合、半導体メモリ２０５は、メモリカードスロット１０９に装填されたメモリカードでもよく、カメラ本体に内蔵された半導体メモリでもよい。液晶モニタ１０６には、撮影中の画像を表示することもできるし、半導体メモリ２０５に記録されている画像を表示することもできる。また、半導体メモリ２０５に記録した画像は、通信カードスロット１１０に装填した通信カード等２０６を介して外部へ送信することも可能である。
【００４９】
撮影レンズ１０１は、カメラ１００の携帯時には図１０（ａ）に示すように沈胴状態（図１の下半分および図３参照）にあってカメラ１００のボディ内に埋没している。ユーザーが電源スイッチ１０８を操作すると、電源が投入され、図１０（ｂ）に示すように鏡胴が繰り出され、カメラ１００のボディから突出して撮影状態（図１の上半分および図２参照）となる構成とする。このとき、第１レンズ群１１から第２レンズ群１２が焦点距離可変のズームレンズを構成する場合、撮影レンズ１０１のレンズ鏡胴１０の内部では、ズームレンズを構成する各群の光学系が、例えば広角位置に配置されており、ズームレバー１０３を操作することによって、各群光学系の配置が変更されて、望遠端への変倍動作を行うことができる。なお、ファインダ１０４の光学系も撮影レンズ１０１の画角の変化に連動して変倍するようにすることが望ましい。
【００５０】
多くの場合、シャッタボタン１０２の半押し操作により、フォーカシングがなされる。シャッタボタン１０２をさらに押し込み全押し状態とすると撮影が行なわれ、その後に上述した通りの処理がなされる。
【００５１】
半導体メモリ２０５に記録した画像を液晶モニタ１０６に表示させたり、通信カード等２０６を介して外部へ送信させたりする際には、操作ボタン１０７を所定のごとく操作する。半導体メモリ２０５および通信カード等２０６は、メモリカードスロット１０９および通信カードスロット１１０等のような、それぞれ専用または汎用のスロットに装填して使用される。
【００５２】
次に、非撮影時に各レンズ群を保持する複数の可動レンズ鏡筒をカメラ本体部内に沈胴させ、撮影時にカメラ本体部内から繰り出させる構成のレンズ鏡胴（およびそれを搭載した撮像装置）の技術の課題について説明する。なお、この技術の課題は、本発明に係るレンズ鏡胴１０（およびそれを搭載したカメラ（撮像装置）１００）であっても、第１リング部材５０が設けられていないものとすると同様の課題を有することから、理解容易のためにレンズ鏡胴１０を用いて説明する。
【００５３】
レンズ鏡胴１０を搭載した撮像装置（カメラ１００）では、撮影状態において、落下や他物に衝突される等の外的要因による衝撃を受けると、第１の回転筒２２と第１のライナー２３との連結箇所（案内溝２２ｃおよびフォロワ２３ｂ）に大きな負荷がかかることにより、互いの連結が解除される虞がある。これは、以下のことによる。例えば、撮像装置（カメラ１００）が、繰り出された可動レンズ鏡筒の先端に位置する部材（レンズ鏡胴１０では、直進筒２７）の先端部から落下すると、主にカメラ本体部の重量に起因して、撮影光軸ＯＡ方向の衝撃力として作用する。すると、レンズ鏡胴１０では、その衝撃力に起因する負荷が、カメラ本体部（固定枠２１）に固定された固定筒部２１ａと第１の回転筒２２との連結箇所、その第１の回転筒２２と第１のライナー２３との連結箇所、その第１のライナー２３と第２の回転筒２４との連結箇所、その第２の回転筒２４と直進筒２７との連結箇所、に作用する。ここで、第１の回転筒２２と第１のライナー２３との連結箇所は、他の連結箇所とは異なり、撮影光軸ＯＡ方向への負荷を逃がすことが困難である。
【００５４】
詳細には、レンズ鏡胴１０では、撮影光軸ＯＡ方向で見て、固定筒部２１ａと第１の回転筒２２とは、カム溝２１ｃにヘリコイド状のカムフォロワ２２ａが嵌合されて連結され、第１のライナー２３と第２の回転筒２４とは、逃げ溝２３ｅにカムフォロワ２４ｂが挿通されて連結され、第２の回転筒２４と直進筒２７とは、カムフォロワ２７ａがカム溝２４ｄに係合されて連結されている。すなわち、これらの連結箇所は、撮影光軸ＯＡ方向への相対的な移動を可能とする構成である。これに対し、第１の回転筒２２と第１のライナー２３とは、フォロワ２３ｂを案内溝２２ｃに係合させることにより、撮影光軸ＯＡ方向への相対的な移動を防止するものである。このため、第１の回転筒２２と第１のライナー２３との連結箇所には、撮影光軸ＯＡ方向への負荷がそのまま作用してしまう。
【００５５】
この第１の回転筒２２に対して、撮影光軸ＯＡ方向の像面側への負荷が第１のライナー２３に生じた際の当該連結箇所での作用を、それを示す説明図である図１３を用いて説明する。この図１３では、（ａ）が内側壁部５２のない構成の第１リング部材５０´が設けられた当該連結箇所を示し、（ｂ）は本願発明の第１リング部材５０が設けられた当該連結箇所を示し、（ｃ）は本願発明の他の例の第１リング部材５０１が設けられた当該連結箇所を示す。
【００５６】
レンズ鏡胴１０では、上述したように撮影光軸ＯＡ方向への負荷が生じると、第１の回転筒２２と第１のライナー２３との連結箇所では、図１３（ａ）に示すように、第１のライナー２３には付勢力Ａ１が作用し、そのフォロワ２３ｂには第１の回転筒２２の案内溝２２ｃからへの反力Ａ２が作用する。すると、第１のライナー２３には、付勢力Ａ１と反力Ａ２との作用する径方向での位置の差異により、フォロワ２３ｂの近傍位置を内側へと撓ませる応力Ａ３が作用する。このため、第１のライナー２３は、図１３（ａ）に二点鎖線で示すように、径方向内側へと撓んでしまい、フォロワ２３ｂの案内溝２２ｃへの係合が解除されてしまう虞がある。ここで、第１のライナー２３におけるフォロワ２３ｂの近傍位置の肉厚寸法を大きくすることも考えられるが、レンズ鏡胴１０の径方向での大きさ寸法の増大を招くことから望ましくない。また、第１のライナー２３の肉厚の増加分だけ、第１の回転筒２２や第２の回転筒２４の肉厚寸法を小さくすることも考えられるが、第１の回転筒２２や第２の回転筒２４の強度の低下を招くことから望ましくない。
【００５７】
これに対しレンズ鏡胴１０では、図１３（ｂ）に示すように、第１リング部材５０には、内側壁部５２が設けられている。すなわち、レンズ鏡胴１０では、外側壁部５１と連結壁部５３とで第１の回転筒２２の被写体側の端部（庇部２２ｆおよび切欠部２２ｇ）に第１リング部材５０が装着されており、その内側壁部５２の内側係合面５２ａが第１のライナー２３の先端部２３ｑの先端内周面２３ｒと所定量Ａ（図９参照）の間隔をおいて径方向で対向されている。その所定量Ａは、第１のライナー２３が第１の回転筒２２内に嵌合された状態において、第１の回転筒２２の案内溝２２ｃに対する第１のライナー２３のフォロワ２３ｂの径方向で見た嵌合量Ｂ（図９参照）よりも小さく設定されている。このため、上述したように、撮影光軸ＯＡ方向の像面側への負荷が第１のライナー２３に生じ、第１のライナー２３が径方向内側へと撓み変形した場合であっても、第１のライナー２３の先端部２３ｑ（その先端内周面２３ｒ）が径方向の内側に所定量Ａだけ変位すると、その先端内周面２３ｒが内側壁部５２の内側係合面５２ａに係合する。
【００５８】
このため、本発明に係るレンズ鏡胴１０では、第１のライナー２３の先端部２３ｑ（その先端内周面２３ｒ）が、第１の回転筒２２に対して径方向の内側に変位して移動しようとすると、その先端内周面２３ｒが第１リング部材５０の内側壁部５２の内側係合面５２ａに係合するので、その変位量を所定の大きさ寸法よりも小さいものとすることができる。このため、レンズ鏡胴１０では、第１のライナー２３におけるフォロワ２３ｂの近傍位置を適切に補強することができ、衝撃等の外部からの負荷に対して高い強度を有するものとすることができる。
【００５９】
また、レンズ鏡胴１０では、第１リング部材５０（内側壁部５２の内側係合面５２ａ）により第１のライナー２３の先端部２３ｑ（その先端内周面２３ｒ）の変位量を所定の大きさ寸法よりも小さいものとすることができることから、所定の大きさ寸法を適宜設定することにより、フォロワ２３ｂの案内溝２２ｃへの係合が解除されてしまうことを防止することができる。これにより、レンズ鏡胴１０では、撮影状態において、第１のライナー２３が第１の回転筒２２に対して像面側（沈胴される側）に移動しようとしても、フォロワ２３ｂの案内溝２２ｃへの係合を維持させることができ、第１のライナー２３におけるフォロワ２３ｂの近傍位置を適切に補強することができ、衝撃等の外部からの負荷に対して高い強度を有するものとすることができる。
【００６０】
さらに、レンズ鏡胴１０では、第１の回転筒２２の被写体側の端部（庇部２２ｆおよび切欠部２２ｇ）に装着された第１リング部材５０の内側壁部５２の内側係合面５２ａが第１のライナー２３の先端部２３ｑの先端内周面２３ｒと所定量Ａの間隔をおいて径方向で対向されており、その所定量Ａが第１のライナー２３の第１の回転筒２２への嵌合状態での案内溝２２ｃに対するフォロワ２３ｂの径方向で見た嵌合量Ｂよりも小さく設定されていることから、第１のライナー２３におけるフォロワ２３ｂの近傍位置が撓み変形したとしてもフォロワ２３ｂの案内溝２２ｃへの係合が解除されてしまうことを確実に防止することができるので、第１のライナー２３におけるフォロワ２３ｂの近傍位置をより適切に補強することができる。このように、第１リング部材５０は、第１の回転筒２２と第１のライナー２３とが、所定の大きさ寸法としての所定量Ａすなわち嵌合量Ｂを超える間隔となることを防止することができる。
【００６１】
レンズ鏡胴１０では、第１の回転筒２２の被写体側の端部（庇部２２ｆおよび切欠部２２ｇ）に第１リング部材５０を装着するだけで、第１のライナー２３におけるフォロワ２３ｂの近傍位置を適切に補強することができるので、簡易な構成とすることができる。
【００６２】
レンズ鏡胴１０では、第１の回転筒２２の被写体側の端部（庇部２２ｆおよび切欠部２２ｇ）に第１リング部材５０を装着するだけで、第１のライナー２３におけるフォロワ２３ｂの近傍位置を適切に補強することができるので、既存のレンズ鏡胴に対しても容易に適用することができる。
【００６３】
レンズ鏡胴１０では、第１の回転筒２２の被写体側の端部（庇部２２ｆおよび切欠部２２ｇ）に装着された第１リング部材５０の内側壁部５２の内側係合面５２ａが、第１のライナー２３の先端部２３ｑの先端内周面２３ｒと、所定量Ａの間隔をおいて径方向で対向されていることから、第１の回転筒２２と第１のライナー２３との相対的な回転を阻害することを防止しつつ第１のライナー２３におけるフォロワ２３ｂの近傍位置を適切に補強することができる。
【００６４】
レンズ鏡胴１０では、第１リング部材５０の内側壁部５２が、撮影光軸ＯＡ方向で見て、第１のライナー２３におけるフォロワ２３ｂの被写体側の側面２３ｂ１の立ち上がり箇所と平行な位置まで延在されていることから、フォロワ２３ｂの案内溝２２ｃへの係合が解除されてしまうことを確実に防止することができる。これは、第１のライナー２３では、撮影光軸ＯＡ方向で見て、先端部２３ｑの先端箇所からフォロワ２３ｂの側面２３ｂ１の立ち上がり箇所までの間が、内側壁部５２により径方向の内側へと所定量Ａを超えて変位することが防止されることから、フォロワ２３ｂにおいて側面２３ｂ１（その近傍）が案内溝２２ｃから飛び出す（案内溝２２ｃにより形成された凹空間よりも径方向の内側へと変位する）ことを確実に防止できることによる。
【００６５】
レンズ鏡胴１０では、第１の回転筒２２の被写体側の端部に装着された第１リング部材５０が、外側壁部５１（その切欠外周面２２ｈ）が第１の回転筒２２の切欠部２２ｇの（その切欠外周面２２ｈ）に径方向で係合するとともに、内側壁部５２（その内側係合面５２ａ）が第１のライナー２３の先端部２３ｑ（その先端内周面２３ｒ）に径方向で係合するものである、換言すると第１の回転筒２２と第１のライナー２３とを径方向で挟持するように互いの間隔が広がることを防止するものであることから、径方向へと変形させるような負荷に対して第１の回転筒２２と第１のライナー２３との双方の強度で抗するものとすることができるので、第１の回転筒２２および第１のライナー２３の径方向への変形に対する強度を向上させることができる。
【００６６】
レンズ鏡胴１０では、第１の回転筒２２と第１のライナー２３とを径方向で挟持するように互いの間隔が広がることを防止する第１リング部材５０が、金属材料で形成されていることから、小さな構成でより高い強度を得ることができるので、第１のライナー２３におけるフォロワ２３ｂの近傍位置をより適切に補強することができる。
【００６７】
レンズ鏡胴１０では、第１リング部材５０が、外側壁部５１と内側壁部５２とで第１の回転筒２２の被写体側の端部（庇部２２ｆおよび切欠部２２ｇ）挟持しつつ連結壁部５３を庇部２２ｆの被写体側端面に当接させて、第１の回転筒２２の被写体側の端部に装着されていることから、当該被写体側の端部を補強することができる。
【００６８】
レンズ鏡胴１０では、第１リング部材５０において、環状の板状を呈する連結壁部５３に、その延在方向で見た両端位置に当該連結壁部５３と直交する外側壁部５１および内側壁部５２が設けられていることから、この連結壁部５３が外側壁部５１および内側壁部５２に対してその径方向への負荷に対する補強リブとしての作用を有するため、小さな構成でより高い強度を得ることができるので、第１のライナー２３におけるフォロワ２３ｂの近傍位置をより適切に補強することができる。
【００６９】
レンズ鏡胴１０では、第１リング部材５０が、その外側壁部５１を第１の回転筒２２の被写体側の端部に形成された切欠部２２ｇ内に納めて、その被写体側の端部に取り付けられていることから、第１の回転筒２２延いては全体としての厚さ寸法の増大を防止することができる。
【００７０】
レンズ鏡胴１０では、環状の板状を呈する連結壁部５３と、そこに直交する外側壁部５１および内側壁部５２と、を設けるだけで、第１リング部材５０を形成することができるので、当該第１リング部材５０のための型構造を簡易なものとすることができる。
【００７１】
レンズ鏡胴１０を搭載したカメラ１００（撮像装置）では、撮影状態における落下や他物に衝突される等の外的要因による衝撃に対する耐性を向上させることができる。
【００７２】
したがって、本発明に係るレンズ鏡胴１０では、直進筒としての第１のライナー２３において、回転筒としての第１の回転筒２２の回転溝（案内溝２２ｃ）に摺動自在に嵌合される回転突起部（フォロワ２３ｂ）の周辺を適切に補強することができる。
【００７３】
なお、上記した実施例では、本発明に係るレンズ鏡胴の一例としてのレンズ鏡胴１０について説明したが、複数のレンズ群の少なくとも一部を沈胴させてレンズ群を収納する沈胴状態から前記レンズ群の少なくとも一部を物体側に移動することにより撮影光軸上の撮影状態とするレンズ駆動機構と、該レンズ駆動機構を保持する固定筒部と、を備えるレンズ鏡胴であって、前記レンズ駆動機構は、前記固定筒部に対して撮影光軸方向へと移動可能にかつ撮影光軸回りの回転可能に該固定筒部に保持される回転筒と、該回転筒の内方で前記固定筒部に対して撮影光軸回りの回転が防止されつつ撮影光軸方向へと移動可能に前記固定筒部に保持される直進筒と、を有し、前記回転筒の内周面には、撮影光軸方向で見た一方の端部において、撮影光軸に直交する面に沿う回転溝が設けられ、前記直進筒の外周面には、前記一方の端部に前記回転溝に係合する回転突起部が設けられ、前記レンズ駆動機構には、前記一方の端部において、少なくとも前記回転筒の外周面および前記直進筒の内周面のいずれか一方に係合することにより、前記回転筒と前記直進筒との撮影光軸に直交する径方向での間隔が所定の大きさ寸法を超えることを防止する拡大防止機構が設けられているレンズ鏡胴であればよく、上記した実施例に限定されるものではない。
【００７４】
また、上記した実施例では、第１リング部材５０の内側壁部５２が、撮影光軸ＯＡ方向で見て、第１のライナー２３におけるフォロワ２３ｂの被写体側の側面２３ｂ１の立ち上がり箇所と平行な位置まで延在される構成とされていたが、第１のライナー２３におけるフォロワ２３ｂが設けられた側の端部（先端部２３ｑ）の内周面（先端内周面２３ｒ）と径方向で対向するものであれば、長さ寸法は適宜設定すればよく、上記した実施例に限定されるものではない。ここで、図１３（ｃ）には、他の例の第１リング部材５０１を示している。その第１リング部材５０１は、内側壁部５２１が、撮影光軸ＯＡ方向で見て、第１のライナー２３におけるフォロワ２３ｂの像面側の側面２３ｂ２の立ち上がり箇所と平行な位置まで延在される構成とされている。この第１リング部材５０１では、撮影光軸ＯＡ方向で見て、第１のライナー２３の先端部２３ｑの先端箇所からフォロワ２３ｂの側面２３ｂ２の立ち上がり箇所までの間を、内側壁部５２１により径方向の内側へと所定量Ａを超えて変位することを防止することができることから、フォロワ２３ｂにおいて側面２３ｂ２（その近傍）が案内溝２２ｃから飛び出すことを確実に防止できる、すなわちフォロワ２３ｂ全体が案内溝２２ｃから飛び出すことを確実に防止できるので、フォロワ２３ｂの案内溝２２ｃへの係合が解除されてしまうことをより確実に防止することができる。
【００７５】
さらに、上記した実施例では、拡大防止機構が第１の回転筒２２と第１のライナー２３とは別部材である第１リング部材５０により構成されていたが、第１の回転筒２２の外周面もしくは第１のライナー２３の内周面と径方向で係合可能に対向するものであれば、回転筒（第１の回転筒２２）と一体的な構成であってもよく、直進筒（第１のライナー２３）と一体的な構成であってもよく、上記した実施例に限定されるものではない。この本願発明に係るレンズ鏡胴（その拡大防止機構）の他の構成例を図１４に示す。図１４（ａ）に示す拡大防止機構は、回転筒と一体的な構成とされた一例であり、第１の回転筒２２２の被写体側の端部から径方向内側に延出された延出腕部５４に内側壁部５２２が形成されて構成されている。図１４（ｂ）に示す拡大防止機構は、直進筒と一体的な構成とされた一例であり、第１のライナー２３３の被写体側の端部から径方向外側に延出された延出腕部５５に外側壁部５１３が形成されて構成されている。なお、図１４（ｂ）の構成の場合、第１の回転筒２２と第１のライナー２３３との組み付け方法を、上記した実施例とは異なるものとする必要がある。
【００７６】
上記した実施例では、拡大防止機構としての第１リング部材５０が、第１の回転筒２２に装着されていたが、図１４（ｃ）に示すように、第１のライナー２３に装着される構成の第１リング部材５０２であってもよく、上記した実施例に限定されるものではない。
【００７７】
上記した実施例では、拡大防止機構（第１リング部材５０）が、第１の回転筒２２と第１のライナー２３との嵌合体の被写体側の端部に設けられていたが、図示は略すが、第１の回転筒２２における案内溝２２ｃおよび第１のライナー２３におけるフォロワ２３ｂが像面側の端部に設けられていれば、それに合わせて第１の回転筒２２および第１のライナー２３の像面側の端部に設けてもよく、上記した実施例に限定されるものではない。
【００７８】
上記した実施例では、拡大防止機構（第１リング部材５０）が、第１の回転筒２２と第１のライナー２３との間隔の拡大を防止するために設けられていたが、撮影光軸ＯＡ方向に一体的に移動されるとともに相対的な回転が可能とされて連結された回転筒および直進筒であって、その連結箇所に撮影光軸ＯＡ方向への負荷が作用し得る構成とされているものであればよく、上記した実施例に限定されるものではない。
【００７９】
以上、本発明のレンズ鏡胴とよび撮影装置を実施例に基づき説明してきたが、具体的な構成については実施例に限られるものではなく、本発明の要旨を逸脱しない限り、設計の変更や追加等は許容される。
【符号の説明】
【００８０】
１０  レンズ鏡胴
２１ａ  固定筒部
２２、２２２  （回転筒としての）第１の回転筒
２３、２３３  （直進筒としての）第１のライナー
２２ｃ  （回転溝としての）案内溝
２３ｂ  （回転突起部としての）フォロワ
５０、５０１、５０２  （拡大防止機構としての）第１のリング部材
５１、５１３  外側壁部
５２、５２１、５２２  内側壁部
５４  （拡大防止機構としての）延出腕部
５５  （拡大防止機構としての）延出腕部
Ａ  （所定の大きさ寸法よりも小さな間隔である）所定量
Ｂ  （所定の大きさ寸法となる）嵌合量
１００  （撮像装置としての）カメラ
ＯＡ  撮影光軸
【先行技術文献】
【特許文献】
【００８１】
【特許文献１】特開２００６−０３９１５３号公報
【図１】
2012226015.tif 000003
【図２】
2012226015.tif 000004
【図３】
2012226015.tif 000005
【図４】
2012226015.tif 000006
【図５】
2012226015.tif 000007
【図６】
2012226015.tif 000008
【図７】
2012226015.tif 000009
【図８】
2012226015.tif 000010
【図９】
2012226015.tif 000011
【図１０】
2012226015.tif 000012
【図１１】
2012226015.tif 000013
【図１２】
2012226015.tif 000014
【図１３】
2012226015.tif 000015
【図１４】
2012226015.tif 000016